(57)【要約】【課題】スイッチを切り替える際の誤操作を防止することができるスライド操作式スイッチを提供すること。【解決手段】固定端子１２３に対してスイッチ操作部２０とともにスライド移動され、スプリング２１０の一端側に配置された可動端子２２０と、スプリング２１０の他端側に配置されたボール２３０とが保持されてなるスライダー２００と、節度感取得用摺接面１３６とを有してなるスライド操作式スイッチ１において、スイッチ操作部２０の操作用突起部２３が移動操作可能に開口された操作開口部７２と、開口縁面７２ａから突出された目印用突出部３７からなるハウジング側目印部８０と、スライド移動によって目印用突出部８１が嵌め合うようにスイッチ操作部２０の一部が切り欠かれた目印用切り欠き部３１からなる操作側目印部３０とを有してなり、目印用突出部３７と目印用切り欠き部３１とが嵌め合わされた位置がスイッチ切り替え完了位置とされる。【選択図】図１
2013171822.tif 000002
【特許請求の範囲】
【請求項１】
ハウジングに固定された固定端子に対してスイッチ操作部とともにスライド移動され、スプリングと、該スプリングの一端側に配置され、前記スプリングによって前記固定端子に付勢される可動端子と、前記スプリングの他端側に配置されるボールとが保持されてなるスライダーと、前記ボールに摺接されるようにスライド方向に沿って山部、およびスイッチ切り替え完了位置にて前記ボールの一部が嵌る谷部が交互に形成されてなる節度感取得用摺接面と、を有してなるスライド操作式スイッチにおいて、
前記スイッチ操作部が操作される側となる前記ハウジングの操作面に前記スイッチ操作部の操作用突起部が移動操作可能に開口された操作開口部と、
前記操作開口部の開口縁面から突出された目印用突出部からなるハウジング側目印部と、
前記スイッチ操作部のスライド移動によって前記目印用突出部が嵌め合うように前記スイッチ操作部の一部が切り欠かれた目印用切り欠き部からなる操作側目印部と、
を有してなり、
前記目印用突出部と前記目印用切り欠き部とが嵌め合わされた位置がスイッチ切り替え完了位置とされることを特徴とするスライド操作式スイッチ。
【請求項２】
前記目印用突出部は、
前記操作開口部のスライド方向に直交する縁面から突出され、かつ突出方向に直交する幅が弾性圧縮可能に拡大されてなる幅拡大部が突出端に形成されていることを特徴とする請求項１に記載のスライド操作式スイッチ。
【請求項３】
ハウジングに固定された固定端子に対してスイッチ操作部とともにスライド移動され、スプリングと、該スプリングの一端側に配置され、前記スプリングによって前記固定端子に付勢される可動端子と、前記スプリングの他端側に配置されるボールとが保持されてなるスライダーと、前記ボールに摺接されるようにスライド方向に沿って山部、およびスイッチ切り替え完了位置にて前記ボールの一部が嵌る谷部が交互に形成されてなる節度感取得用摺接面と、を有してなるスライド操作式スイッチにおいて、
前記スイッチ操作部が操作される側となる前記ハウジングの操作面に前記スイッチ操作部の操作用突起部が移動操作可能に開口された操作開口部と、
前記操作開口部の縁面から突出された目印用突出部からなるハウジング側目印部と、
前記目印用突出部の外形形状になぞられ、前記スイッチ操作部のスライド移動によって前記目印用突出部が重なるように前記スイッチ操作部に設けられた目印用刻印からなる操作側目印部と、
を有してなり、
前記目印用突出部と前記目印用刻印とが重ね合わされた位置がスイッチ切り替え完了位置とされることを特徴とするスライド操作式スイッチ。
【請求項４】
前記目印用突出部は、
外形形状が三角形状であることを特徴とする請求項３に記載のスライド操作式スイッチ。
【発明の詳細な説明】
【技術分野】
【０００１】
本発明は、固定端子に対してスイッチ操作部とともに可動端子をスライド移動させるスライド操作式スイッチに関する。
【背景技術】
【０００２】
従来、スイッチ操作部とともにスライド移動されるスライダーに設けられた可動端子を所定の間隔を空けて配置された複数の固定端子のうち二つの固定端子に短絡接続させるスライド操作式スイッチがある。このようなスライド操作式スイッチは、スイッチの切り替え操作の節度感を得るようにしたものが提案されている。（例えば、特許文献１参照）。
【０００３】
特許文献１に記載されたスライド操作式スイッチは、ハウジングに固定された固定端子に対してスイッチ操作部とともにスライド移動され、スプリングと、スプリングの一端側に配置され、スプリングによって固定端子に付勢される可動端子と、スプリングの他端側に配置されるボールとが保持されてなるスライダーと、ボールに摺接されるようにスライド方向に沿って山部、およびスイッチ切り替え完了位置にてボールの一部が嵌る谷部が交互に形成されてなる節度感取得用摺接面とを有してなり、可動端子が二つの固定端子を短絡接続させる位置で、ボールの一部が谷部に嵌るようになっている。
【先行技術文献】
【特許文献】
【０００４】
【特許文献１】特開２０１１−１１３９３１号公報
【発明の概要】
【発明が解決しようとする課題】
【０００５】
しかしながら、特許文献１に記載されたスライド操作式スイッチは、ボールが節度感取得用摺接面の山部の頂点を含む頂点近傍に位置されると、スライダーがボールとスプリングと可動端子とによって節度感取得用摺接面上で安定して支持されるため、ボールが谷部に嵌る前、すなわちスイッチの切り替えが途中でスライダーが停止され易く、スライダーが途中で停止された場合においてもスイッチの切り替えが完了されていないことを目視で確認することができず、結果的に誤操作が発生してしまうという問題があった。
【０００６】
このような問題を解消するため、スイッチ操作部の摘まみ部がハウジング外に突出されるための開口部の縁に沿って位置を示す三角状の頂点、または棒線状の目印を刻印して位置確認用の目印とすることも考えられるが、点あるいは棒線状の目印では、有る程度近くでないと目視で目印を確認し難く、例えば、スイッチが車両の室内天井に設置され、目印を近くで確認し難い場合、点あるいは棒線状の目印を確認することは難しい。
【０００７】
本発明は、上記に鑑みてなされたものであって、スイッチを切り替える際の誤操作を防止することができるスライド操作式スイッチを提供することを目的とする。
【課題を解決するための手段】
【０００８】
上述した課題を解決し、目的を達成するために、本発明の請求項１に係るスライド操作式スイッチは、ハウジングに固定された固定端子に対してスイッチ操作部とともにスライド移動され、スプリングと、該スプリングの一端側に配置され、前記スプリングによって前記固定端子に付勢される可動端子と、前記スプリングの他端側に配置されるボールとが保持されてなるスライダーと、前記ボールに摺接されるようにスライド方向に沿って山部、およびスイッチ切り替え完了位置にて前記ボールの一部が嵌る谷部が交互に形成されてなる節度感取得用摺接面と、を有してなるスライド操作式スイッチにおいて、前記スイッチ操作部が操作される側となる前記ハウジングの操作面に前記スイッチ操作部の操作用突起部が移動操作可能に開口された操作開口部と、前記操作開口部の開口縁面から突出された目印用突出部からなるハウジング側目印部と、前記スイッチ操作部のスライド移動によって前記目印用突出部が嵌め合うように前記スイッチ操作部の一部が切り欠かれた目印用切り欠き部からなる操作側目印部と、を有してなり、前記目印用突出部と前記目印用切り欠き部とが嵌め合わされた位置がスイッチ切り替え完了位置とされることを特徴とする。
【０００９】
また、本発明の請求項２に係るスライド操作式スイッチは、上記の発明において、前記目印用突出部は、前記操作開口部のスライド方向に直交する縁面から突出され、かつ突出方向に直交する幅が弾性圧縮可能に拡大されてなる幅拡大部が突出端に形成されていることを特徴とする。
【００１０】
上述した課題を解決し、目的を達成するために、本発明の請求項３に係るスライド操作式スイッチは、ハウジングに固定された固定端子に対してスイッチ操作部とともにスライド移動され、スプリングと、該スプリングの一端側に配置され、前記スプリングによって前記固定端子に付勢される可動端子と、前記スプリングの他端側に配置されるボールとが保持されてなるスライダーと、前記ボールに摺接されるようにスライド方向に沿って山部、およびスイッチ切り替え完了位置にて前記ボールの一部が嵌る谷部が交互に形成されてなる節度感取得用摺接面と、を有してなるスライド操作式スイッチにおいて、前記スイッチ操作部が操作される側となる前記ハウジングの操作面に前記スイッチ操作部の操作用突起部が移動操作可能に開口された操作開口部と、前記操作開口部の縁面から突出された目印用突出部からなるハウジング側目印部と、前記目印用突出部の外形形状になぞられ、前記スイッチ操作部のスライド移動によって前記目印用突出部が重なるように前記スイッチ操作部に設けられた目印用刻印からなる操作側目印部と、を有してなり、前記目印用突出部と前記目印用刻印とが重ね合わされた位置がスイッチ切り替え完了位置とされることを特徴とする。
【００１１】
また、本発明の請求項４に係るスライド操作式スイッチは、上記の発明において、前記目印用突出部は、外形形状が三角形状であることを特徴とすることを特徴とする。
【発明の効果】
【００１２】
本発明の請求項１に係るスライド操作式スイッチは、前記目印用突出部と前記目印用切り欠き部とが嵌め合わされた位置がスイッチ切り替え完了位置とされるので、前記目印用突出部の外形形状と、前記目印用切り欠き部の切り欠き形状とのズレを目視することによって前記スライダーがスイッチ切り替え完了位置に位置決めされていないことを容易に確認することができ、結果的にスイッチを切り替える際の誤操作を防止することができる。
【００１３】
本発明の請求項２に係るスライド操作式スイッチは、前記目印用突出部と前記目印用切り欠き部とが嵌め合わされる場合、前記目印用突出部の前記幅拡大部が弾性圧縮されながら前記目印用切り欠き部内に圧入され、完全に嵌め合わされると、前記幅拡大部が圧縮状態から解放され、弾性復元されるので、前記幅拡大部が弾性復元される際、操作者は、スイッチの切り替え操作の節度感を得ることができ、節度感を向上させることができる。
【００１４】
本発明の請求項３に係るスライド操作式スイッチは、前記目印用突出部と前記目印用刻印とが重ね合わされた位置がスイッチ切り替え完了位置とされるので、前記目印用突出部の外形形状と、前記目印用刻印の形状とのズレを目視することによって前記スライダーがスイッチ切り替え完了位置に位置決めされていないことを容易に確認することができ、結果的にスイッチを切り替える際の誤操作を防止することができる。
【００１５】
本発明の請求項４に係るスライド操作式スイッチは、前記目印用突出部の外形形状が三角形状であるので、頂角と、頂角を形成する２辺とを基準として前記目印用突出部と前記目印用刻印とのズレを容易に確認することができる。
【図面の簡単な説明】
【００１６】
【図１】図１は、本発明の実施例に係るスライド操作式スイッチが組み込まれた車両室内照明灯の分解斜視図である。
【図２】図２は、図１に示したハウジング側目印部および操作側目印部周辺を拡大した図である。
【図３】図３は、図１に示したスイッチ操作部のスライド移動とともにスライダーがスライド移動されることを説明するための図である。
【図４】図４は、図１に示した機能部の分解斜視図である。
【図５】図５は、図４に示した機能部の上面図である。
【図６】図６は、図１に示したスライダーの拡大斜視図である。
【図７】図７は、図１に示したスライダーの分解斜視図である。
【図８】図８は、図５に示したスライダーのＡ−Ａ線断面図である。
【図９】図９は、図５に示した機能部のＡ−Ａ線断面図であり、スライダーがオンモードの位置にあるものを示した図である。
【図１０】図１０は、図５に示した機能部のＡ−Ａ線断面図であり、スライダーがオンモードからドアモードに移動される途中にあるものを示した図である。
【図１１】図１１は、図５に示した機能部のＡ−Ａ線断面図であり、スライダーがドアモードの位置にあるものを示した図である。
【図１２】図１２は、スイッチ操作部がオンモードの位置にある場合の車両室内照明灯の下面図、およびスイッチ操作部の周辺を拡大した図である。
【図１３】図１３は、スイッチ操作部がドアモードの位置にある場合の車両室内照明灯の下面図、およびスイッチ操作部の周辺を拡大した図である。
【図１４】図１４は、本発明の実施例１に係るスライド操作式スイッチの変形例のスライド操作式スイッチが組み込まれた車両室内照明灯の下面図、およびスイッチ操作部の周辺を拡大した図である。
【図１５】図１５は、本発明の実施例２に係るスライド操作式スイッチが組み込まれた車両室内照明灯の機能部を略した分解斜視図である。
【図１６】図１６は、図１５に示したハウジング側目印部および操作側目印部周辺を拡大した図である。
【図１７】図１７は、スイッチ操作部がオンモードの位置にある場合の車両室内照明灯の下面図、およびスイッチ操作部の周辺を拡大した図である。
【図１８】図１８は、スイッチ操作部がドアモードの位置にある場合の車両室内照明灯の下面図、およびスイッチ操作部の周辺を拡大した図である。
【図１９】図１９は、スイッチ操作部がオフモードの位置にある場合の車両室内照明灯の下面図、およびスイッチ操作部の周辺を拡大した図である。
【図２０】図２０は、スイッチ操作部がオンモードとドアモードの間に位置にある場合の車両室内照明灯の下面図、およびスイッチ操作部の周辺を拡大した図である。
【発明を実施するための形態】
【００１７】
以下、図面を参照して、本発明に係るスライド操作式スイッチの好適な実施例を詳細に説明する。
【実施例１】
【００１８】
図１は、本発明の実施例に係るスライド操作式スイッチ１が組み込まれた車両室内照明灯３００の分解斜視図である。図２は、図１に示したハウジング側目印部８０および操作側目印部３０周辺を拡大した図である。図３は、図１に示したスイッチ操作部２０のスライド移動とともにスライダー２００がスライド移動されることを説明するための図である。図４は、図１に示した機能部１００の分解斜視図である。図５は、図４に示した機能部１００の上面図である。図６は、図１に示したスライダー２００の拡大斜視図である。図７は、図１に示したスライダー２００の分解斜視図である。図８は、図５に示したスライダー２００のＡ−Ａ線断面図である。
【００１９】
本発明の実施例１に係るスライド操作式スイッチ１は、ハウジング５０に固定された固定端子１２３に対してスイッチ操作部２０とともにスライド移動され、スプリング２１０と、スプリング２１０の一端側に配置され、スプリング２１０によって固定端子１２３に付勢される可動端子２２０と、スプリング２１０の他端側に配置されるボール２３０とが保持されてなるスライダー２００と、ボール２３０に摺接されるようにスライド方向に沿って山部１３６ａ、およびスイッチ切り替え完了位置にてボール２３０の一部が嵌る谷部１３６ｂが交互に形成されてなる節度感取得用摺接面１３６と、スイッチ操作部２０が操作される側となるハウジング５０の操作面にスイッチ操作部２０の操作用突起部２３が移動操作可能に開口された操作開口部７２と、操作開口部７２の開口縁面７２ａから突出された目印用突出部８１からなるハウジング側目印部８０と、スイッチ操作部２０のスライド移動によって目印用突出部８１が嵌め合うようにスイッチ操作部２０の一部が切り欠かれた目印用切り欠き部３１からなる操作側目印部３０と、を有してなり、目印用突出部８１と目印用切り欠き部３１とが嵌め合わされた位置がスイッチ切り替え完了位置とされる。
【００２０】
この実施例１のスライド操作式スイッチ１は、車両の天井に設けられる車両室内照明灯３００に組み込まれるものである。スライド操作式スイッチ１は、車両室内照明灯３００のオンモードおよびドアモードのモードの切り替えを行うための２極スイッチである。
ここで、オンモードとは、照明が常時点灯されるモードであり、ドアモードとは、車両のドアが開けられた場合に照明が点灯され、ドアが閉じられた場合に照明が消灯されるモードである。
この車両室内照明灯３００は、意匠部１０および機能部１００を有してなる。
【００２１】
まず、意匠部１０について説明する。
意匠部１０は、車両室内照明灯３００の外観形状をなす部分であり、スイッチ操作部２０およびハウジング５０を有してなる。
【００２２】
スイッチ操作部２０は、操作者がスイッチの切り替え操作を行うための操作部である。このスイッチ操作部２０は、スライド方向を長手方向とする長方形状の板状基部２１の中央位置に段差を形成するように設けられた段差部２２と、段差部２２からに下方に向けて突出された操作用突起部２３とを有してなる。
段差部２２は、この段差部２２に形成される目印用切り欠き部３１に目印用突出部８１が嵌め込まれるように目印用突出部８１の厚みに略等しい厚みの段差に形成されている。
操作者は、この操作用突起部２３を摘まむことによってスイッチ操作部２０をスライド移動させる。
【００２３】
また、スイッチ操作部２０は、図１に示すように、スイッチ操作部２０をスライド移動可能に支持する４箇所のガイド支持部２４と、スライダー２００に連結される連結部２５と、操作側目印部３０とを有してなる。
各ガイド支持部２４は、スイッチ操作部２０の後述する組み付け側ハウジング６０への取付面２０ａ、かつ板状基部２１の縁に沿ってスイッチ操作部２０が均等に支持されるように鉤状に突設されてなる。各ガイド支持部２４が、組み付け側ハウジング６０に形成された後述する各スライドガイド溝部６２ａに嵌め込まれることによってスイッチ操作部２０がスライド方向にガイドされるようになっている。
【００２４】
連結部２５は、操作部取付面２０ａの中央前縁から上方に向けて片状に突出された一対の突出片部２５ａからなる。この一対の突出片部２５ａによって後述する連結用突起部２０３が挟持されることによって、スイッチ操作部２０とスライダー２００とが連結され、スイッチ操作部２０がスライド移動されることによってスライダー２００がスライド移動されるようになっている。
【００２５】
操作側目印部３０は、スイッチ切り替え完了位置の目印である。この操作側目印部３０は、スイッチ操作部２０のスライド移動によって目印用突出部８１が嵌め合うようにスイッチ操作部２０の一部が切り欠かれた目印用切り欠き部３１からなる。
この目印用切り欠き部３１は、オンモードのスイッチ切り替え完了位置の目印となるオンモード目印用切り欠き部３１ａと、ドアモードのスイッチ切り替え完了位置の目印となるドアモード目印用切り欠き部３１ｂと、を有してなる。
【００２６】
オンモード目印用切り欠き部３１ａおよびドアモード目印用切り欠き部３１ｂのそれぞれは、スイッチ操作部２０の段差部２２のスライド方向の段差縁面２２ａが目印用突起部８１の外形形状に合わせて切り欠かれてなり、オンモード目印用切り欠き部３１ａは、段差部２２の右側の段差縁面２２ａに形成され、ドアモード目印用切り欠き部３１ｂは、段差部２２の左側の段差縁面２２ａに形成されている。
【００２７】
オンモード目印用切り欠き部３１ａおよびドアモード目印用切り欠き部３１ｂのそれぞれは、より具体的には、目印用突出部８１の後述する突出片部８３および幅拡大部８２に対応して形成された、幅狭切り欠き部３２および幅拡大切り欠き部３３を有してなる。
幅狭切り欠き部３２は、切り欠きの入り口側、かつ突出片部８３に対応させて突出片部８３の幅より僅かに大きい幅の切り欠き部分である。
幅拡大切り欠き部３３は、切り欠きの奥側、かつ幅拡大部８２に対応した形状であり、幅狭切り欠き部３２の幅に比してその幅が拡大される切り欠き部分である。
【００２８】
ハウジング５０は、スイッチ操作部２０と、機能部１００とが組み付けられる組み付け側ハウジング６０と、組み付け側ハウジング６０のスイッチ操作部２０が操作される側の面を覆うように組み付け側ハウジング６０に取り付けられるカバー側ハウジング７０とを有してなる。
【００２９】
組み付け側ハウジング６０は、外形が略矩形状の板状をなし、下面６０ａにスイッチ操作部２０、およびカバー側ハウジング７０が組み付けられ、上面６０ｂに機能部１００が組み付けられるようになっている。
この組み付け側ハウジング６０は、図１に示すように、カバー側ハウジング７０が係止されるカバー側ハウジング係止部６１と、スイッチ操作部２０がスライド移動可能に取り付けられるスイッチ取付部６２と、機能部１００の後述する機能部収容ケース１３０が取り付けられる機能取付部６３とが設けられている。
【００３０】
カバー側ハウジング係止部６１は、組み付け側ハウジング６０の縁に沿ってカバー側ハウジング係止部６１の外周縁を囲う枠部に形成された凹部である。このカバー側ハウジング係止部６１は、カバー側ハウジング７０の外周縁から突起されたカバー側ハウジング係止用突起部７１が嵌め込まれることによってカバー側ハウジング係止部６１を組み付け側ハウジング６０に係止させる部分である。
【００３１】
スイッチ取付部６２は、スイッチ操作部２０の各ガイド支持部２４が嵌め込まれるガイド溝部６２ａと、組み付け側ハウジング６０に形成された開口からなるスライド用開口部６２ｂとを有してなる。
【００３２】
ガイド溝部６２ａは、各ガイド支持部２４に対応させて下面６０ａ上の４箇所に形成されてなる。
スライド用開口部６２ａは、スライド方向を長手とする長方形状の開口である。連結部２５が組み付け側ハウジング６０の下面６０ａから上面６０ｂに向けて挿通され、スイッチ操作部２０がスライド用開口部６２ａ内で連結部２５によって連結用突起部２０３に連結された状態でスライド移動されるようになっている。
【００３３】
機能取付部６３は、機能部収容ケース１３０のケース取付用係止突起１３０ａが嵌め込まれるケース係止孔６３ａと、バルブ１１０の照明光が組み付け側ハウジング６０を通過されるように組み付け側ハウジング６０に形成された開口である照明用開口部６３ｂとを有してなる。
【００３４】
カバー側ハウジング７０は、光透過性の合成樹脂からなり、組み付け側ハウジング６０に組み付けされた各部を保護するカバーとして機能するとともに、バルブ１１０から出射される光を集光するレンズとして機能するようになっている。
【００３５】
カバー側ハウジング７０は、スイッチ操作部２０が操作される側となるカバー側ハウジング７０の操作面にスイッチ操作部２０の操作用突起部２３が移動操作可能に開口された操作開口部７２と、ハウジング側目印部８０とを有してなる。
【００３６】
操作開口部７２は、スライド方向を長手とする長方形状の開口である。この操作開口部７２のスライド方向の幅は、スイッチ操作部２０がスライド移動されて、段差部２２を開口縁面７２ａに付き当てて停止される位置がスイッチ切り替え完了位置になるように設定されている。
【００３７】
ハウジング側目印部８０は、スイッチ切り替え完了位置の目印である。このハウジング側目印部８０は、操作開口部７２の開口縁面７２ａから突出された目印用突出部８１からなる。
この目印用突出部８１は、操作開口部７２のスライド移動方向で向かい合う開口縁面７２ａのうち、右側の開口縁面７２ａから突出され、オンモードのスイッチ切り替え完了位置の目印となるオンモード目印用突出部８１ａと、左側の開口縁面７２ａから突出され、ドアモードのスイッチ切り替え完了位置の目印となるドアモード目印用突出部８１ｂと、を有してなる。
【００３８】
オンモード目印用突出部８１ａおよびドアモード目印用突出部８１ｂは、突出方向に直交する幅が弾性圧縮可能に拡大されてなる幅拡大部８２が突出端に形成されている。
より具体的には、オンモード目印用突出部８１ａおよびドアモード目印用突出部８１ｂは、操作開口部７２のスライド移動方向で向かい合う各開口縁面７２ａから片状に突出された突出片部８３の先端に突出片部８３の幅に比して拡大された幅を有してなる幅拡大部８２が形成されている。
【００３９】
このようなスイッチ操作部２０がスライド移動されると、オンモード目印用突出部８１ａとオンモード目印用切り欠き部３１ａとが嵌め合わされた位置がオンモードのスイッチ切り替え完了位置となり、ドアモード目印用突出部８１ｂとドアモード目印用切り欠き部３１ｂとが嵌め合わされた位置がドアモードのスイッチ切り替え完了位置となる。
【００４０】
また、オンモード目印用突出部８１ａとオンモード目印用切り欠き部３１ａとが嵌め合わされる場合、オンモード目印用突出部８１ａの幅拡大部８２が圧縮されながらオンモード目印用切り欠き部３１ａの幅狭切り欠き部３２内に圧入され、幅拡大部８２が幅拡大部切り欠き部３３内に到達されると、幅拡大部８２が圧縮状態から解放され、弾性復元される。このように幅拡大部８２が弾性復元される際、操作者は、スイッチの切り替え操作の節度感を得ることができるようになっている。
このような節度感は、ドアモード目印用突出部とドアモード目印用切り欠き部とが嵌め合わされる場合においても同様に得られるものである。
【００４１】
次に、機能部１００について説明する。
機能部１００は、車両室内照明灯３００の光源となるバルブ１１０を有し、スイッチ操作に応じてバルブ１１０に外部からの電力を供給させる機能をなすものである。
この機能部１００は、図４に示すように、バルブ１１０と、バスバー１２０と、スライダー２００と、機能部収容ケース１３０と、電線保持部用カバー１４０と、スライダー収容部用カバー１５０とを有してなる。
【００４２】
バスバー１２０は、金属板状部材が金型プレスによって成形されてなり、バルブ１１０の電極に接続されるバルブ接続部１２１と、電源配線等の外部に接続される不図示の電線が接続される電線接続部１２２と、可動端子２２０の接点となる固定端子１２３とを有してなる。
【００４３】
固定端子１２３は、スライド方向に沿って並ぶ第一固定端子１２３ａと、第二固定端子１２３ｂと、第三固定端子１２３ｃとを有してなる。各固定端子１２３は、可動端子２２０に接触されやすいように上方に向けて膨出された膨出部が形成されてなる。第一固定端子１２３ａと、第二固定端子１２３ｂとに可動端子２２０が短絡接続されることによって、上述したオンモードとなり、第二固定端子１２３ｂと、第三固定端子１２３ｃとに可動端子２２０が短絡接続されることによって、上述したドアモードになる。
【００４４】
スライダー２００は、組み付け側ハウジング６０に固定された固定端子１２３に対してスイッチ操作部２０とともにスライド移動され、スプリング２１０と、スプリング２１０の一端側に配置され、スプリング２１０によって固定端子１２３に付勢される可動端子２２０と、スプリング２１０の他端側に配置されるボール２３０とが保持される部分である。
このスライダー２００は、図７に示すように、本体を構成するスライド本体部２０１を有してなる。このスライド本体部２０１は、板状の金属部材がコの字状に屈曲されてなる可動端子２２０と、スプリング２１０と、ボール２３０とが収容される収容部２０２と、スイッチ操作部２０との連結部分になる連結用突起部２０３と、を有してなる。
【００４５】
収容部２０２は、下部が開口された箱型形状をなし、ボール２３０が回転可能に保持されるボール保持部２０２ａと、可動端子２２０の後述する一対の係止突起部２２０ａが引っ掛かる一対の引掛り突起部２０２ｂを有してなる。
【００４６】
ボール保持部２０２ａは、収容部２０２の上壁に設けられ、ボール２３０の上部が嵌め込まれることによって収容部２０２内にボール２３０が位置決めされ、ボール２３０がスプリング２１０に付勢されてボール２３０の一部が収容部２０２の上壁から収容部２０２外に露出されるようになっている。
【００４７】
一対の引掛り突起部２０２ｂは、収容部２０２の向かい合う一対の側壁の下部内面から突起された部分であり、上方に屈曲された可動端子２２０の両端部側面から突起された一対の係止突起部２２０ａの各係止突起２２０ａが引っ掛かるようになっている。この一対の引掛り突起部２０２ｂは、スプリング２１０によって下方に付勢された可動端子２２０が収容部２０２外に飛び出さないように係止するものである。
【００４８】
連結用突起部２０３は、収容部２０２の前側の側壁から前方に向けて突出された後、上方に向けて屈曲されてなる突起部である。この連結用突起部２０３は、上端部２０３ａが連結部２５に連結されるようになっている。
【００４９】
機能部収容ケース１３０は、バルブ１１０と、バスバー１２０と、スライダー２００とが収容されるケースであり、スライダー２００が収容されるとともにその移動がガイドされるスライダー収容部１３１と、上述した不図示の電線が保持される電線保持部１３２と、バルブ１１０に接続されたバスバー１２０が収容されるバルブ収容部１３３と、を有してなる。
【００５０】
スライダー収容部１３１は、ボール２３０に摺接されるようにスライド方向に沿って山部１３６ａ、およびスイッチ切り替え完了位置にてボール２３０の一部が嵌る谷部１３６ｂが交互に形成されてなる節度感取得用摺接面１３６が形成されてなる移動ガイド部１３５を有してなる。
この節度感取得用摺接面１３６の谷部１３６ｂにボール２３０が嵌ることによってオンモード、およびドアモードのスイッチ切り替えによるスライダー２００の位置決めがなされるようになっている。
また、節度感取得用摺接面１３６は、ボール２００がスライド移動される際、山部１３６ａ、谷部１３６ｂに交互に摺接されながら移動されるため、操作者がスイッチの切り替え操作の節度感を得ることができるようになっている。
【００５１】
このスライダー収容部１３１の下部開口はスライダー収容部用カバー１５０によって塞がれるようになっている。ここで、スライダー２００の連結用突起部２０３は、スライダー収容部１３１の前側で収容部内が一部拡張された部分に配置され、スライダー収容部用カバー１５０から露出されることによって、連結部２５に連結できるようになっている。
【００５２】
また、スライダー収容部用カバー１５０の内面には固定端子１２３の外形形状に対応して形成された固定端子位置決め溝１５０ａが形成され、バルブ収容部１３３に収容されたバスバー１２０から延びた固定端子１２３がスライダー収容部１３１内で位置決めされるようになっている。このため、可動端子２２０はスライダー収容部１３１の下部で固定端子１２３に接続されるようになっている。
【００５３】
電線保持部１３２は、下部開口が電線保持部用カバー１４０によって塞がれるようになっている。
【００５４】
このような機能部２００は、機能部収容ケース１３０を介して組み付け側ハウジング６０の上面６０ｂ側から組み付け側ハウジング６０に組み付けられ、組み付け側ハウジング６０の下面６０ａ側から組み付けられたスイッチ操作部２０の連結部２５によってスライダー２００が連結され、図３に示すように、操作者によるスイッチ操作部２０のスライド移動とともにスライダー２００がスライド移動される。なお、固定端子１２３は、機能部収容ケース１３０が組み付け側ハウジング６０に組み付けられることによって、組み付け側ハウジング６０に固定される。
【００５５】
次に、図９−図１３を用いて車両室内照明灯３００がオンモードからドアモードに切り替えられる場合のスライド操作式スイッチ１によるスイッチ切り替え動作について説明する。
図９は、図５に示した機能部１００のＡ−Ａ線断面図であり、スライダー２００がオンモードの位置にあるものを示した図である。図１０は、図５に示した機能部１００のＡ−Ａ線断面図であり、スライダー２００がオンモードからドアモードに移動される途中にあるものを示した図である。図１１は、図５に示した機能部１００のＡ−Ａ線断面図であり、スライダー２００がドアモードの位置にあるものを示した図である。図１２は、スイッチ操作部２０がオンモードの位置にある場合の車両室内照明灯３００の下面図、およびスイッチ操作部２０の周辺を拡大した図である。図１３は、スイッチ操作部２０がドアモードの位置にある場合の車両室内照明灯３００の下面図、およびスイッチ操作部２０の周辺を拡大した図である。
【００５６】
車両室内照明灯３００がオンモードの場合、図９に示すように、ボール２３０の一部が谷部１３６ｂに嵌っているので、スライダー２００がスライダー収容部１３１内のオンモードの位置に位置決めされている。このように、スライダー２００がオンモードの位置に位置決めされると、図１２に示すように、オンモード目印用突出部８１ａとオンモード目印用切り欠き部３１ａとが嵌め合わされている。
【００５７】
ここで、スライダー２００がオンモードの位置に位置決めされていない場合、オンモード目印用突出部８１ａとオンモード目印用切り欠き部３１ａとが嵌め合わされていない。このため、操作者は、オンモード目印用突出部８１ａの外形線と、オンモード目印用切り欠き部３１ａの切り欠き形状とのズレを目視することによってスライダー２００がオンモードの位置に位置決めされていないことを容易に確認することができる。
【００５８】
その後、オンモードからドアモードにスイッチを切り替えるため、操作者によってスイッチ操作部２０がスライド移動開始されると、図１０に示すように、ボール２３０が節度感取得用摺接面１３６の斜面に摺接されながら移動され、図１１に示すように、山部１３６ａの頂点を含む頂点近傍１３６ａａに位置される。  このようにボールが節度感取得用摺接面１３６の山部１３６ａの頂点を含む頂点近傍１３６ａａに位置されと、スライダー２００がその位置で停止されるおそれがある。
この場合、操作者は、ドアモード目印用突出部８１ｂの外形線と、ドアモード目印用切り欠き部３１ｂの外形線とのズレを目視することによって、ドアモード目印用突出部８１ｂとドアモード目印用切り欠き部３１ｂとが嵌め合わされていない、すなわちスライダー２００がドアモードの位置に位置決めされてないことを容易に確認することができる。このため、操作者は、スイッチ操作部２０をドアモードへの切り替え完了位置までさらにスライド移動させることができる。
【００５９】
スライダー２００がドアモードに対応した谷部１３６ｂに嵌ると、図１３に示すように、ドアモード目印用突出部８１ｂとドアモード目印用切り欠き部３１ｂとが嵌め合わされる。この場合、操作者は、ドアモード目印用突出部８１ｂの外形線と、ドアモード目印用切り欠き部３１ｂの切り欠き形状とを目視して、ドアモード目印用突出部８１ｂとドアモード目印用切り欠き部３１ｂとが嵌め合わされていることが確認した場合、スイッチの切り替えが完了したと判断する。
【００６０】
本発明の実施例１に係るスライド操作式スイッチ１は、目印用突出部８１と目印用切り欠き部３１とが嵌め合わされた位置がスイッチ切り替え完了位置とされるので、目印用突出部３１の外形形状と、目印用切り欠き部３１の切り欠き形状とのズレを目視することによってスライダー２００がスイッチ切り替え完了位置に位置決めされていないことを容易に確認することができ、結果的にスイッチを切り替える際の誤操作を防止することができる。
【００６１】
また、本発明の実施例１に係るスライド操作式スイッチは、目印用突出部８１と目印用切り欠き部３１とが嵌め合わされる場合、目印用突出部８１の幅拡大部８２が弾性圧縮されながら目印用切り欠き部３１内に圧入され、完全に嵌め合わされると、幅拡大部８２が圧縮状態から解放され、弾性復元されるので、幅拡大部８２が弾性復元される際、操作者は、スイッチの切り替え操作の節度感を得ることができ、節度感を向上させることができる。
【００６２】
（変形例）
次に、図１４を用いて本発明の実施例１に係るスライド操作式スイッチ１の変形例について説明する。図１４は、本発明の実施例１に係るスライド操作式スイッチ１の変形例のスライド操作式スイッチ２が組み込まれた車両室内照明灯３００の下面図、およびスイッチ操作部２６の周辺を拡大した図である。なお、図１４は、スイッチ操作部２６がドアモードの位置にある場合の車両室内照明灯３００を示したものである。
この変形例のスライド操作式スイッチ２は、操作側目印部３０に代わって操作側目印部３４を有してなり、ハウジング側目印部８０に代わってハウジング側目印部８４を有してなる点で実施例１のスライド操作式スイッチ１と異なる。
なお、その他の構成は実施例１と同様であり、実施例１と同一構成部分には同一符号を付している。
【００６３】
操作側目印部３４は、スイッチ操作部２６のスライド移動によって後述する目印用突出部８５が嵌め合うようにスイッチ操作部２６の一部が切り欠かれた目印用切り欠き部３５からなる。
この目印用切り欠き部３５は、オンモードのスイッチ切り替え完了位置の目印となるオンモード目印用切り欠き部３５ａと、ドアモードのスイッチ切り替え完了位置の目印となるドアモード目印用切り欠き部３５ｂと、を有してなる。
【００６４】
オンモード目印用切り欠き部３５ａおよびドアモード目印用切り欠き部３５ｂのそれぞれは、スイッチ操作部２６の段差部２２のスライド方向の段差縁面２２ａが目印用突起部８５の外形形状に合わせて三角形状に切り欠かれてなる。オンモード目印用切り欠き部３５ａは、段差部２２の右側の段差縁面２２ａに形成され、ドアモード目印用切り欠き部３５ｂは、段差部２２の左側の段差縁面２２ａに形成されている。
【００６５】
ハウジング側目印部８４は、スイッチ切り替え完了位置の目印である。このハウジング側目印部８４は、操作開口部７２の開口縁面７２ａから突出された目印用突出部８５からなる。
この目印用突出部８５は、操作開口部７２のスライド移動方向で向かい合う開口縁面７２ａのうち、右側の開口縁面７２ａから三角形状に突出され、オンモードのスイッチ切り替え完了位置の目印となるオンモード目印用突出部８５ａと、左側の開口縁面７２ａから三角形状に突出され、ドアモードのスイッチ切り替え完了位置の目印となるドアモード目印用突出部８５ｂと、を有してなる。
【００６６】
この変形例のスライド操作式スイッチ２は、スイッチ操作部２６がスライド移動され、オンモード目印用突出部８５ａとオンモード目印用切り欠き部３５ａとが嵌め合わされた位置がオンモードのスイッチ切り替え完了位置となり、ドアモード目印用突出部８５ｂとドアモード目印用切り欠き部３５ｂとが嵌め合わされた位置がドアモードのスイッチ切り替え完了位置となる。
【００６７】
この変形例のスライド操作式スイッチ２は、目印用突出部８５の外形形状と、目印用切り欠き部３５の切り欠き形状とのズレを目視することによってスライダー２００がスイッチ切り替え完了位置に位置決めされていないことを容易に確認することができるので、実施例１のスライド操作式スイッチ１と同様にスイッチを切り替える際の誤操作を防止することができる。
【実施例２】
【００６８】
次に、図１５−図２０を用いて本発明の実施例２に係るスライド操作式スイッチ３について説明する。
図１５は、本発明の実施例２に係るスライド操作式スイッチ３が組み込まれた車両室内照明灯３００の機能部を略した分解斜視図である。図１６は、図１５に示したハウジング側目印部８６および操作側目印部３６周辺を拡大した図である。図１７は、スイッチ操作部２７がオンモードの位置にある場合の車両室内照明灯３００の下面図、およびスイッチ操作部２７の周辺を拡大した図である。図１８は、スイッチ操作部２７がドアモードの位置にある場合の車両室内照明灯３００の下面図、およびスイッチ操作部２７の周辺を拡大した図である。図１９は、スイッチ操作部２７がオフモードの位置にある場合の車両室内照明灯３００の下面図、およびスイッチ操作部２７の周辺を拡大した図である。図２０は、スイッチ操作部２７がオンモードとドアモードの間に位置にある場合の車両室内照明灯３００の下面図、およびスイッチ操作部２７の周辺を拡大した図である。
【００６９】
本発明の実施例２に係るスライド操作式スイッチ３は、ハウジング５０に固定された固定端子１２３に対してスイッチ操作部２７とともにスライド移動され、スプリング２１０と、スプリング２１０の一端側に配置され、スプリング２１０によって固定端子１２３に付勢される可動端子２２０と、スプリング２１０の他端側に配置されるボール２３０とが保持されてなるスライダー２００と、ボール２３０に摺接されるようにスライド方向に沿って山部１３６ａ、およびスイッチ切り替え完了位置にてボール２３０の一部が嵌る谷部１３６ｂが交互に形成されてなる節度感取得用摺接面１３６と、スイッチ操作部２７が操作される側となるカバー側ハウジング７０の操作面にスイッチ操作部２７の操作用突起部２３が移動操作可能に開口された操作開口部７２と、操作開口部７２の縁面７２ａから突出された目印用突出部８７からなるハウジング側目印部８６と、目印用突出部８７の外形形状になぞられ、スイッチ操作部２７のスライド移動によって目印用突出部８７が重なるようにスイッチ操作部２７に設けられた目印用刻印３７からなる操作側目印部３６と、を有してなり、目印用突出部８７と目印用刻印３７とが重ね合わされた位置がスイッチ切り替え完了位置とされる。
【００７０】
この実施例２のスライド操作式スイッチ３は、実施例１と同様に、車両の天井に設けられる車両室内照明灯３００に組み込まれるものである。このスライド操作式スイッチ３は、車両室内照明灯３００のオンモード、ドアモード、にさらにオフモードを加えたモードの切り替えを行うための３極スイッチである。
ここで、オフモードとは、照明が常時消灯されるモードである。
【００７１】
この実施例２のスライド操作式スイッチ３は、操作側目印部３０に代わって操作側目印部３６を有してなり、ハウジング側目印部８０に代わってハウジング側目印部８６を有してなる点で実施例１のスライド操作式スイッチ１と異なる。
なお、その他の構成は実施例１と同様であり、実施例１と同一構成部分には同一符号を付している。
【００７２】
操作側目印部３６は、スイッチ切り替え完了位置の目印である。この操作側目印部３６は、目印用突出部８７の外形形状になぞられた三角形状をなし、スイッチ操作部２７のスライド移動によって目印用突出部８７が重なるようにスイッチ操作部２７に設けられた目印用刻印３７からなる。
【００７３】
目印用刻印３７は、オンモードのスイッチ切り替え完了位置の目印となるオンモード目印用刻印部３７ａと、ドアモードのスイッチ切り替え完了位置の目印となるドアモード目印用刻印部３７ｂと、オフモードのスイッチ切り替え完了位置の目印となるオフモード目印用刻印部３７ｃと、を有してなる。
これらオンモード目印用刻印部３７ａ、ドアモード目印用刻印部３７ｂ、オフモード目印用刻印部３７ｃのそれぞれは、スイッチ操作部２７の板状基部２１にスライド移動方向に並んで配置されている。
【００７４】
ハウジング側目印部８６は、スイッチ切り替え完了位置の目印である。このハウジング側目印部８６は、操作開口部７２の開口縁面７２ａから突出された目印用突出部８７からなる。
目印用突起部８７は、操作開口部７２のスライド移動方向に直交する方向で向かい合う開口縁面７２ａのうち、後側の開口縁面７２ａから三角形状に突出されてなる。
【００７５】
このような、操作側目印部３６およびハウジング側目印部８６によって、スイッチ操作部２７がオンモードの位置にある場合、図１７に示すように、目印用突出部８７とオンモード目印用刻印部３７ａとが重ね合わされる。
また、スイッチ操作部２７がドアモードの位置にある場合、図１８に示すように、目印用突出部８７とドアモード目印用刻印部３７ｂとが重ね合わされる。
また、スイッチ操作部２７がオフモードの位置にある場合、図１９に示すように、目印用突出部８７とオフモード目印用刻印部３７ｃとが重ね合わされる。
【００７６】
ここで、スライダー２００のボール２３０が節度感取得用摺接面１３６の山部１３６ａの頂点を含む頂点近傍１３６ａａに位置されと、スライダー２００がその位置で停止されるおそれがある。例えば、オンモードとドアモードとの間で停止された場合、図２０に示すように、操作者は、目印用突出部８７の外形線と、目印部用刻印３７とのズレを目視することによって、スイッチ操作部２７がスイッチ切り換え完了位置に移動されてないことを確認することができ、スイッチ操作部２７をスイッチ切り替え完了位置までスライド移動させる。
【００７７】
本発明の実施例２に係るスライド操作式スイッチ３は、目印用突出部８７と目印用刻印３７とが重ね合わされた位置がスイッチ切り替え完了位置とされるので、目印用突出部８７の外形形状と、目印用刻印３７の形状とのズレを目視することによってスライダー２００がスイッチ切り替え完了位置に位置決めされていないことを容易に確認することができ、結果的にスイッチを切り替える際の誤操作を防止することができる。
【００７８】
また、本発明の実施例２に係るスライド操作式スイッチ３は、目印用突出部８７の外形形状が三角形状であるので、頂角と、頂角を形成する２辺とを基準として目印用突出部８７と目印用刻印３７とのズレを容易に確認することができる。
【００７９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００８０】
１、２、３    スライド操作式スイッチ
１０          意匠部
２０、２６、２７  スイッチ操作部
２０ａ        取付面
２１          板状基部
２２          段差部
２２ａ        段差縁面
２３          操作用突起部
２４          ガイド支持部
２５          連結部
２５ａ        突出片部
３０、３４、３６  操作側目印部
３１、３５    目印用切り欠き部
３１ａ、３５ａ  オンモード目印用切り欠き部
３１ｂ、３５ｂ  ドアモード目印用切り欠き部
３２          幅狭切り欠き部
３３          幅拡大切り欠き部
３７          目印用刻印
３７ａ        オンモード目印用刻印部
３７ｂ        ドアモード目印用刻印部
３７ｃ        オフモード目印用刻印部
５０          ハウジング
６０          組み付け側ハウジング
６０ａ        下面
６０ｂ        上面
６１          カバー側ハウジング係止部
６２          スイッチ取付部
６２ａ        スライドガイド溝部
６２ｂ        スライド用開口部
６３          機能取付部
６３ａ        ケース係止孔
６３ｂ        照明用開口部
７０          カバー側ハウジング
７１          カバー側ハウジング係止用突起部
７２          操作開口部
７２ａ        開口縁面
８０、８４、８６  ハウジング側目印部
８１、８５、８７  目印用突出部
８１ａ、８５ａ  オンモード目印用突出部
８１ｂ、８５ｂ  ドアモード目印用突出部
８２          幅拡大部
８３          突出片部
１００        機能部
１１０        バルブ
１２０        バスバー
１２１        バルブ接続部
１２２        電線接続部
１２３        固定端子
１２３ａ      第一固定端子
１２３ｂ      第二固定端子
１２３ｃ      第三固定端子
１３０        機能部収容ケース
１３０ａ      ケース取付用係止突起
１３１        スライダー収容部
１３２        電線保持部
１３３        バルブ収容部
１３５        移動ガイド部
１３６        節度感取得用摺接面
１３６ａ      山部
１３６ａａ    頂点近傍
１３６ｂ      谷部
１４０        電線保持部用カバー
１５０        スライダー収容部用カバー
１５０ａ      固定端子位置決め溝
２００        スライダー
２０１        スライド本体部
２０２        収容部
２０２ａ      ボール保持部
２０２ｂ      引掛り突起部
２０３        連結用突起部
２０３ａ      上端部
２１０        スプリング
２２０        可動端子
２２０ａ      係止突起部
２３０        ボール
３００        車両室内照明灯
【図１】
2013171822.tif 000003
【図２】
2013171822.tif 000004
【図３】
2013171822.tif 000005
【図４】
2013171822.tif 000006
【図５】
2013171822.tif 000007
【図６】
2013171822.tif 000008
【図７】
2013171822.tif 000009
【図８】
2013171822.tif 000010
【図９】
2013171822.tif 000011
【図１０】
2013171822.tif 000012
【図１１】
2013171822.tif 000013
【図１２】
2013171822.tif 000014
【図１３】
2013171822.tif 000015
【図１４】
2013171822.tif 000016
【図１５】
2013171822.tif 000017
【図１６】
2013171822.tif 000018
【図１７】
2013171822.tif 000019
【図１８】
2013171822.tif 000020
【図１９】
2013171822.tif 000021
【図２０】
2013171822.tif 000022